(57)【要約】【課題】  用途に応じた複数の電話番号の使い分けを確実に行うことが可能な携帯電話機を提供すること。【解決手段】  １台で複数の自局電話番号を使用可能な携帯電話機であって、基地局からの電波の受信感度に応じて、複数の自局電話番号のなかから、一の自局電話番号を選択する選択手段と、選択手段により選択された自局電話番号で発呼を行うか否かについての指示の入力を可能とする選択画像を表示する選択画像表示手段と、選択画像表示手段により選択画像が表示されているときに、選択手段により選択された自局電話番号で発呼を行うことについての指示の入力があったことを受けて、当該自局電話番号で発呼を行う発呼手段とを備えたことを特徴とする携帯電話機。【選択図】    図４
2005184537.tif 000002
【特許請求の範囲】
【請求項１】
１台で複数の自局電話番号を使用可能な携帯電話機であって、
基地局からの電波の受信感度に応じて、前記複数の自局電話番号のなかから、一の自局電話番号を選択する選択手段と、
前記選択手段により選択された自局電話番号で発呼を行うか否かについての指示の入力を可能とする選択画像を表示する選択画像表示手段と、
前記選択画像表示手段により前記選択画像が表示されているときに、前記選択手段により選択された自局電話番号で発呼を行うことについての指示の入力があったことを受けて、当該自局電話番号で発呼を行う発呼手段と
を備えたことを特徴とする携帯電話機。
【請求項２】
相手局電話番号を、前記複数の自局電話番号のいずれかに対応させて記憶する電話番号記憶手段と、
前記電話番号記憶手段に記憶されている相手局電話番号に対応する自局電話番号と、前記選択手段により選択された自局電話番号とが同一であるか否かを判断する判断手段とを備え、
前記選択画像表示手段は、前記電話番号記憶手段に記憶されている相手局電話番号に対応する自局電話番号と、前記選択手段により選択された自局電話番号とが同一ではないと前記判断手段が判断したことを受けて、前記選択画像を表示することを特徴とする請求項１に記載の携帯電話機。
【発明の詳細な説明】
【技術分野】
【０００１】
本発明は、複数の自局電話番号を使用可能な携帯電話機に関する。
【背景技術】
【０００２】
従来、ＰＤＣ（Personal Digital Cellular）と、ＰＨＳ（Personal Handy phone System）との２つの通信方式による発呼受信が可能な携帯電話機が普及している。
このような携帯電話機には、ＰＤＣとＰＨＳとの２つの通信方式のそれぞれに対応した自局電話番号が登録されており、これらの自局電話番号のうち、使用者が選択した自局電話番号で発呼受信を行うことが可能なように構成されている。
【０００３】
また、従来、ＰＤＣとＰＨＳとの２つの通信方式により発呼受信を行うことが可能な携帯電話機であって、２つの通信方式のいずれかが通信不可能なときに、自動的に通信可能な通信方式による発呼受信が行われるように構成された携帯電話機が知られている（例えば、特許文献１参照）。
このような携帯電話機では、２つの通信方式のうち、一の通信方式による通信が不可能なときには、他の通信方式により通信を行うことができるため、通信の確実性に優れたものとなる。
【０００４】
【特許文献１】特開２０００−３４９８７１号公報
【発明の開示】
【発明が解決しようとする課題】
【０００５】
ところで、複数の自局電話番号が記憶されている携帯電話機の使用者は、仕事用の自局電話番号と個人用の自局電話番号とを使い分けるというように、用途毎に複数の自局電話番号を使い分けている場合が多い。
しかしながら、上述したような携帯電話機では、一の通信方式で通信不可能なときには、自動的に他の通信方式による発呼が行われてしまうため、複数の自局電話番号のうち、一の自局電話番号しか教えていない相手先に対して、他の自局電話番号が知られてしまうというような不都合が生じてしまい、用途毎の自局電話番号の使い分けが充分に達成されていないという問題があった。
【０００６】
本発明は上述した問題に鑑みてなされたものであり、その目的は、用途に応じた複数の電話番号の使い分けを確実に行うことが可能な携帯電話機を提供することにある。
【課題を解決するための手段】
【０００７】
上述した課題を解決するために、本発明は、以下のようなものを提供する。
（１）１台で複数の自局電話番号を使用可能な携帯電話機であって、
基地局からの電波の受信感度に応じて、上記複数の自局電話番号のなかから、一の自局電話番号を選択する選択手段と、
上記選択手段により選択された自局電話番号で発呼を行うか否かについての指示の入力を可能とする選択画像を表示する選択画像表示手段と、
上記選択画像表示手段により上記選択画像が表示されているときに、上記選択手段により選択された自局電話番号で発呼を行うことについての指示の入力があったことを受けて、当該自局電話番号で発呼を行う発呼手段とを備えたことを特徴とする携帯電話機。
【０００８】
（１）の発明によれば、選択画像が表示され、選択手段により選択された自局電話番号で発呼を行うか否かについての指示の入力が可能となるため、その自局電話番号が相手先に通知されることを望まない場合には発呼を止めたり、相手先に対して通常使用している自局電話番号に変更して発呼を行ったりすることが可能となる。その結果、教えていない自局電話番号が相手先に知られてしまうことがなく、用途に応じた複数の自局電話番号の使い分けを確実に行うことが可能となる。
【０００９】
さらに、本発明は、以下のようなものを提供する。
（２）  上記（１）に記載の携帯電話機であって、
相手局電話番号を、上記複数の自局電話番号のいずれかに対応させて記憶する電話番号記憶手段と、
上記電話番号記憶手段に記憶されている相手局電話番号に対応する自局電話番号と、上記選択手段により選択された自局電話番号とが同一であるか否かを判断する判断手段とを備え、
上記選択画像表示手段は、上記電話番号記憶手段に記憶されている相手局電話番号に対応する自局電話番号と、上記選択手段により選択された自局電話番号とが同一ではないと上記判断手段が判断したことを受けて、上記選択画像を表示することを特徴とする。
【００１０】
（２）の発明によれば、相手先の電話番号に対応した自局電話番号と同一の自局電話番号が上記選択手段により選択された場合には、上記選択画像が表示されず、当該自局電話番号で発呼を行うか否かについての選択の指示の入力を行う必要がなくなる。その結果、相手先に対して通常発呼を行っている自局電話番号を使用者が憶えておく必要がなくなるとともに、使用者による入力の手間を低減することが可能となる。
【発明の効果】
【００１１】
本発明の構成によれば、選択画像が表示され、選択手段により選択された自局電話番号で発呼を行うか否かをについての指示の入力が可能となるため、相手先に通知されることを望まない自局電話番号が当該相手先に知られてしまうことがなく、用途に応じた複数の自局電話番号の使い分けを確実に行うことが可能となる。
【発明を実施するための最良の形態】
【００１２】
本発明の実施形態について図面に基づいて説明する。以下においては、１台で３つの自局電話番号の使用が可能な携帯電話機について説明することにする。勿論、本発明の携帯電話機において、１台で使用可能な自局電話番号の数は複数であれば、特に限定されるものではない。
図１は、本発明の携帯電話機の一例を模式的に示す斜視図である。
【００１３】
携帯電話機１は、基地局にキャリアの入出力を行う図示しない３本のアンテナ８（８ａ〜８ｃ）をその内部に有するアンテナ部２と、電話に出たときに相手局（着信相手先）の音声を聞くための受話口３と、各種機能の設定や着信時に相手先の電話番号（相手局電話番号）や氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００１４】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００１５】
アンテナ部２は、携帯電話機１で使用可能な３つの自局電話番号にそれぞれ対応した３本のアンテナ８ａ〜８ｃ（図示せず）をその内部に有するものであり、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００１６】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００１７】
図２は、図１に示した携帯電話機の内部構成を示すブロック図である。
携帯電話機１の３つの自局電話番号に対応した３本のアンテナ８ａ〜８ｃは、それぞれ基地局とのキャリアの入出力を行う。アンテナ８ａ〜８ｃには、それぞれ信号処理回路１０１ａ〜１０１ｃが接続されている。
【００１８】
信号処理回路１０１（１０１ａ〜１０１ｃ）は、アンテナ８ａ〜８ｃより入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００１９】
アンテナ８ａ〜８ｃのいずれか１から入力された受信キャリアは、受信機−チャネルデコーダ−音声コーデック−送受信機によって音声に変換されて、スピーカ１１１から出力される。一方、通話中にマイクロホン１１２から入力された音声は、使用中の自局電話番号に対応した信号処理回路１０１に入力され、送受信機−音声コーデック−チャネルエンコーダ−送信器によって送信キャリアに変換されて、アンテナ８ａ〜８ｃのいずれかから出力される。これにより、音声通話が達成される。携帯電話機１は、上述したように、３本のアンテナ８（８ａ〜８ｃ）と、３つの信号処理回路１０１（１０１ａ〜１０１ｃ）とを有しており、３つの自局電話番号のうちのいずれか１つを使用して音声通話を行うことができる。
【００２０】
信号処理回路１０１ａ〜１０１ｃには、それぞれレベル検出回路１０２ａ〜１０２ｃが接続されている。レベル検出回路１０２ａ〜１０２ｃは、基地局からアンテナ８ａ〜８ｃを介して信号処理回路１０１ａ〜１０１ｃにそれぞれ入力された受信キャリアの電波強度を検出してそのデータを制御回路１１６に送信する。制御回路１１６は、受信キャリアの電波強度に関するデータ（以下、電波強度データという）を、３つのレベル検出回路１０２ａ〜１０２ｃの各々から受信し、当該電波強度データに基づいて、ディスプレイ４にアンテナピクトを表示する。
また、十字方向操作キー５、操作キー群６の操作により、発呼を行う旨の指示の入力があったときに、制御回路１１６は、３つのレベル検出回路１０２ａ〜１０２ｃの各々から受信した電波強度データに基づいて、最も電波強度の高い受信キャリアに対応する自局電話番号を選択する処理を実行する。
【００２１】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、並びに、バイブレータ用モータ１０４の駆動制御を行う。
【００２２】
また、制御回路１１６には、上記電話番号記憶手段である電話番号記憶回路１１３が接続されている。この電話番号記憶回路１１３には、複数の相手局電話番号を含む電話帳データが記憶される。
図３は、電話番号記憶回路１１３に記憶されている電話帳データの一例を示す図である。
図３に示すように電話番号記憶回路１１３には、相手先の名前及び相手局電話番号が、自局電話番号に対応して記憶されている。
使用者は、十字方向操作キー５、操作キー群６を操作して、相手先の名前、相手局電話番号、及び、当該相手先に発呼を行う自局電話番号を入力して電話番号記憶回路１１３に記憶させたり、記憶されている相手先の名前、相手局電話番号及び自局電話番号を消去したりすることが可能である。
【００２３】
上述したように、十字方向操作キー５、操作キー群６の操作により、発呼を行う旨の指示の入力があったときに、制御回路１１６は、レベル検出回路１０２ａ〜１０２ｃの各々から受信した電波強度データのうち、最も電波強度の高い自局電話番号を選択する。そして、制御回路１１６は、さらに、選択された自局電話番号が、相手局電話番号に対応する自局電話番号と異なる場合には、上記選択された自局電話番号で発呼を行うか否かについての指示の入力を可能とする選択画像をディスプレイ４に表示させる。
なお、この選択画像については、後に図面（図５）を用いて詳述する。
【００２４】
図４は、図１に示した携帯電話機１の制御回路１１６において実行される発呼処理ルーチンを示すフローチャートである。このサブルーチンは、予め実行されているメインルーチンから所定のタイミングで呼び出されて実行されるサブルーチンである。
【００２５】
まず、制御回路１１６は、着呼先の指示があったか否かを判断する（ステップＳ１０）。ステップＳ１０において、制御回路１１６は、十字方向操作キー５、操作キー群６の操作により電話番号記憶回路１１３に記憶されている複数の相手局電話番号のなかから、一の相手局電話番号を選択する旨の指示の入力があったか否かを判断する。
ステップＳ１０において、着呼先の指示がなかった場合、制御回路１１６は、処理をステップＳ１０に戻す。
【００２６】
一方、ステップＳ１０において、着呼先の指示があったと判断した場合、次に、制御回路１１６は、発呼を行う旨の指示があったか否かを判断する（ステップＳ１１）。ステップＳ１１において、制御回路１１６は、十字方向操作キー５、操作キー群６の操作によりステップＳ１０において選択の指示があった相手局電話番号で発呼を行う旨の指示の入力があったか否かを判断する。
ステップＳ１１において、発呼を行う旨の指示がなかったと判断した場合、制御回路１１６は、処理をステップＳ１１に戻す。
【００２７】
一方、ステップＳ１１において、発呼を行う旨の指示があったと判断した場合、次に、制御回路１１６は、自局電話番号選択処理を行う（ステップＳ１２）。ステップＳ１２において、制御回路１１６は、レベル検出回路１０２ａ〜１０２ｃの各々から供給された電波強度データに基づいて、最も電波強度の高い自局電話番号を選択する処理を実行する。
このステップＳ１２の処理を実行するとき、制御回路１１６は、選択手段として機能する。
【００２８】
ステップＳ１２の処理を実行すると、次に、制御回路１１６は、ステップＳ１０において選択の指示の入力があった相手局電話番号に対応する自局電話番号と、ステップＳ１２において選択された自局電話番号とが同一であるか否かを判断する（ステップＳ１３）。
ステップＳ１３において、制御回路１１６は、電話番号記憶回路１１３に記憶されている電話帳データを参照し、ステップＳ１０において選択の指示の入力があった相手局電話番号に対応する自局電話番号と、ステップＳ１３において選択された自局電話番号とが同一であるか否かを判断する。このステップＳ１３の処理を実行するとき、制御回路１１６は、判断手段として機能する。
【００２９】
ステップＳ１３において、ステップＳ１０の処理で選択の指示の入力があった相手局電話番号に対応する自局電話番号と、ステップＳ１２の処理で選択された自局電話番号とが同一であると判断した場合、次に、制御回路１１６は、その自局電話番号で発呼を行う処理を実行し（ステップＳ１６）、本サブルーチンを終了する。
【００３０】
一方、ステップＳ１３において、ステップＳ１０の処理で選択の指示の入力があった相手局電話番号に対応する自局電話番号と、ステップＳ１２の処理で選択された自局電話番号とが異なると判断した場合、次に、制御回路１１６は、選択画像表示処理を実行する（ステップＳ１４）。このステップＳ１４において、制御回路１１６は、ステップＳ１２において選択された自局電話番号で発呼を行うか否かについて、十字方向操作キー５、操作キー群６からの指示の入力を行うことが可能な選択画像をディスプレイ４に表示させる処理を実行する。
このステップＳ１４の処理を実行するとき、制御回路１１６及びディスプレイ４は、選択画像表示手段として機能する。なお、この選択画像については、後に図面（図５）用いて詳述する。
【００３１】
ステップＳ１４の処理を実行すると、次に、制御回路１１６は、ディスプレイ４に選択画像が表示されているときに、ステップＳ１２の処理で選択された自局電話番号で発呼を行うか否かについての指示の入力があったか否かを判断する（ステップＳ１５）。
ステップＳ１５において、指示の入力がなかったと判断した場合、制御回路１１６は、処理をステップＳ１５に戻す。
【００３２】
一方、ステップＳ１５において、指示の入力があったと判断した場合、次に、制御回路１１６は、その指示が、ステップＳ１２の処理で選択された自局電話番号で発呼を行うことについての指示であったか否かを判断する（ステップＳ１７）。
ステップＳ１７において、発呼を行うことについての指示であると判断した場合、次に、制御回路１１６は、その自局電話番号で発呼を行う処理を実行し（ステップＳ１６）、本サブルーチンを終了する。
【００３３】
一方、ステップＳ１７において、発呼を行うことについての指示ではなかったと判断した場合、すなわち、当該自局電話番号で発呼を行わないことについての指示であった場合、本サブルーチンを終了する。
【００３４】
次に、図４に示したサブルーチンを実行されているときに、携帯電話機１のディスプレイ４に表示される画像について図５を用いて説明する。
図５（ａ）〜（ｃ）は、実施形態に係る携帯電話機１のディスプレイ４に表示される画像の一例を示す図である。
【００３５】
図５（ａ）〜（ｃ）に示す画面画像の上側には、自局電話番号Ｘ、Ｙ、Ｚのそれぞれに対応するアンテナピクトが表示されている。
図５（ａ）に示す画面画像は、電話番号記憶回路１１３に記憶されている電話帳データの内容を示す画像であり、相手先の名前を示す画像が複数表示されている。
十字方向操作キー５、操作キー群６を操作し、例えば、これらの名前のなかで、「山田」を選択すると、次に、図５（ｂ）に示す画面画像が表示される。
【００３６】
図５（ｂ）に示す画面画像には、上から順に、「発信」、「電話帳編集」、「電話帳削除」という各種の操作を示す画像が表示されている。この図５（ｂ）に示す画面画像が表示中されているときに「発信」が選択された場合には、最も電波強度の高い自局電話番号がＸであり、「山田」の相手局電話番号Ｄに対応する自局電話番号Ｚ（図３参照）と異なるので、次に、図５（ｃ）に示す画面画像が表示される。
【００３７】
図５に（ｃ）に示す画面画像は、上記選択画像である。
３つのアンテナピクトの下側には、「この相手先に登録されている番号はＺです」という相手局電話番号に対応する自局電話番号を示す画像が表示され、その下側には、「電波状態が良い番号Ｘで発信しますか」という電波強度の高いアンテナ８に対応する自局電話番号で発呼を行うか否かについての指示の入力を促す画像が表示されている。
さらに、その下側には当該自局電話番号で発呼を行うか否かについての選択肢を示す画像が表示されている。
この図５（ｃ）に示す画面画像が表示されているときに、「ＹＥＳ」が選択された場合には、そのまま自局電話番号Ｘで発呼が行われる。
なお、この画面画像が表示されているときに、「ＮＯ」が選択された場合には、そのまま発呼を行わないようにしてもよいし、発呼を行う自局電話番号を使用者により選択することができるようにしてもよい。
【００３８】
以上説明したように、実施形態に係る携帯電話機１では、選択画像が表示され、制御回路１１６により選択された最も電波強度の高い自局電話番号で発呼を行うか否かについての指示の入力が可能となるため、その自局電話番号が相手先に通知されることを望まない場合には発呼を止めたり、相手先の電話番号に対応して記憶された自局電話番号に変更して発呼を行ったりすることが可能となる。その結果、教えていない自局電話番号が相手先に知られてしまうことがなく、用途に応じた複数の自局電話番号の使い分けを確実に行うことが可能となる。
【００３９】
また、相手先の電話番号に対応した自局電話番号と同一の自局電話番号が、制御回路１１６により選択された最も電波強度の高い自局電話番号である場合には、選択画像が表示されず、当該自局電話番号で発呼を行うか否かについての選択の指示の入力を行う必要がなくなる。その結果、相手先に対して通常発呼を行っている自局電話番号を使用者が憶えておく必要がなくなるとともに、使用者による入力の手間を低減することが可能となる。
【００４０】
上述した例では、発呼を行う旨の指示の入力があったときに、選択された最も電波強度の高い自局電話番号が、電話番号記憶回路１１３に記憶された相手局電話番号に対応する自局電話番号と同一である場合には、選択画像を表示させないように携帯電話機が構成されている場合について説明したが、本発明では、発呼を行う旨の指示の入力があったときに、常に選択画像を表示させるように携帯電話機を構成してもよい。
【００４１】
また、上述した例では、発呼を行う旨の指示の入力があったときに、最も電波強度の高い自局電話番号が選択され、選択画像の表示中に当該自局電話番号が表示される場合について説明したが、本発明では、選択画像の表示中、所定時間（例えば、０．１秒）毎に選択手段による選択が行われ、その選択結果に基づいて、順次選択画像が更新されるようにしてもよい。
【００４２】
また、上述した例では、電話番号記憶回路１１３が、１つの自局電話番号に対応させて相手局電話番号を記憶する場合について説明したが、本発明では、電話番号記憶手段が、２以上の自局電話番号に対応させて相手局電話番号を記憶することができるようにしてもよい。
【図面の簡単な説明】
【００４３】
【図１】本発明の携帯電話機の一例を模式的に示す斜視図である。
【図２】図１に示した携帯電話機の内部構成を示すブロック図である。
【図３】図１に示した携帯電話機が備える電話番号記憶回路に記憶されている電話帳データの一例を示す図である。
【図４】図１に示した携帯電話機の制御回路において実行される発呼処理ルーチンを示すフローチャートである。
【図５】図１に示した携帯電話機が備えるディスプレイに表示される画像の一例を示す図である。
【符号の説明】
【００４４】
１  携帯電話機
２  アンテナ部
３  受話口
４  ディスプレイ
５  十字方向操作キー
６  操作キー群
７  送話口
８（８ａ〜８ｃ）  アンテナ
１１  ケース
１２  カバー
１０１（１０１ａ〜１０１ｃ）  信号処理回路
１０２（１０２ａ〜１０２ｃ）  レベル検出回路
１０３  着信音出力スピーカ
１０４  バイブレータ用モータ
１１１  スピーカ
１１２  マイクロホン
１１３  電話番号記憶回路
１１６  制御回路
【図１】
2005184537.tif 000003
【図２】
2005184537.tif 000004
【図３】
2005184537.tif 000005
【図４】
2005184537.tif 000006
【図５】
2005184537.tif 000007